Podtech/llm-jp-corpus-v4-ja_patent huggingface dataset:
(57)【要約】      （修正有）【課題】他人のヘラと容易に識別する事ができる地ベラ、塗装剥離等のヘラを提供する。【解決手段】握り部１と薄手基板２の平面の適宜な位置に絵柄、文字、キャラクターの図形等の識別標識４が記載されており、前記識別標識４にはシルクスクリーン印刷がなされている。または、表面に識別標識４を記載し、裏面に粘着層を形成したシール本体を識別標識が視認できる様にヘラの適宜な位置に貼着してもよい。【選択図】図１
0003197002.tif 000002
【実用新案登録請求の範囲】
【請求項１】
握り部と薄手基板から成る地ベラ、塗装剥離等のヘラに於いて、薄手基板の平面もしくは握り部の適宜な位置に絵柄、文字、キャラクターの図形等の識別標識が記載されていることを特徴とする識別標識付きのヘラ。
【請求項２】
前記識別標識はシルクスクリーン印刷がなされている事を特徴とする請求項１の識別標識付きのヘラ。
【請求項３】
前記識別標識は、裏面に粘着層を有し、薄手基板の平面や握り部に貼着されるシール本体に記載されている事を特徴とする請求項１、及び請求項２の識別標識付きのヘラ。
【考案の詳細な説明】
【技術分野】
【０００１】本考案は、地ベラ、塗装剥離等のヘラを他人のヘラと容易に識別できるヘラに関するものである。
【背景技術】
【０００２】従来、地ベラ、塗装剥離等のヘラは、壁紙の余剰部分をカットする時のカッターを案内するためのヘラであり、また塗装、壁紙等を剥がすのに用いられているヘラであるが、ヘラの形状等がほぼ類似しており他人のヘラと識別することが困難であった。
【先行技術文献】
【特許文献】
【０００３】
【特許文献１】  実用平７−４０１９７号公報
【考案の概要】
【考案を解決しようとする課題】
【０００４】従来、地ベラ、塗装剥離等のヘラを用いて、壁のクロス貼り、塗装を剥がす等の一連の仕事の中で、ヘラを作業現場に放置した場合、他人のヘラとの形状が類似している為に他人のヘラとを即時に識別する事が困難である場合が多々あった。
【課題を解決するための手段】
【０００５】本考案は上記目的を達成するために、シール本体の表面に絵柄、文字、キャラクター図形等の識別標識を記載し、裏面に粘着層を形成して薄手基板や握り部に貼着する。又は、識別標識をシルクスクリーン印刷により直接薄手基板や握り部に印刷することにより問題を解決している。
【考案の効果】
【０００６】上述の様に本校案の識別標識付きのヘラは、識別標識が視認できるヘラの適宜な位置に識別用の絵柄、文字、キャラクターの図形等の識別標識のシールが貼着してあるので他人のヘラとの識別を容易に図る事が出来る。
【０００７】また、識別標識をシルクスクリーン印刷で直接ヘラの適宜な位置に印刷する事で容易に他人のヘラと識別できる。
【０００８】したがって、一連の仕事でヘラを作業現場に放置しても即時に視認で自分のヘラを識別出来るので、作業ロスも生じない。
【０００９】また、薄手基板に付設した識別標識が汚れにより識別不能の場合でも、握り部にも識別標識を付設しておけば識別は可能である。
【００１０】そして識別標識にシルクスクリーン印刷を用いているので耐候性にも優れている。
【００１１】さらにシルクスクリーンのインク層はコントロールできるので厚盛りが可能な為、識別標識に立体感を持たす事も出来るし、木版や銅板と異なりシルクスクリーンの版自体に柔軟性があるので、少々の曲面であっても印刷出来る。
【図面の簡単な説明】
【００１２】
【図１】本考案の一実施例を示す正面図である。
【図２】本考案の一実施例を示す正面図である。
【図３】図２の一部切欠側面図である。
【考案を実施するための形態】
【００１３】  以下、添付図面に従って一実施例を説明する。
１は木製、プラスチック等で形成した握り部である。２はステンレス等の薄板状の金属板を切削加工して形成された薄板基板で、握り部１はリベット等で固定されている。３はシール本体で、表面には例えば絵柄、文字、記号、キャラクターの図形等の識別標識４が記載されており、裏面には粘着層が形成されている。４は識別標識でシルクスクリーン印刷がなされている。
【００１４】本考案の一実施例は上辻の如き構成からなるもので、識別標識４を視認できる適宜なヘラの位置に付設してあるので、即時に他人のヘラとを視認して識別する事が出来る。
【産業上の利用可能性】
【００１５】本考案は地ベラ、塗装剥離等のヘラを製造する産業で利用される。
【符号の説明】
【００１６】  １  握り部
２  薄手基板
３  シール本体
４  識別標識
【図１】
0003197002.tif 000003
【図２】
0003197002.tif 000004
【図３】
0003197002.tif 000005
(57)【要約】      （修正有）【課題】インテリア機能及びリラックス機能を有する小型の台座付造形物を提供する。【解決手段】金属製の本体部１０と木製の台座部２０とを備え、本体部は造形部１１とおねじ部１２を有し、台座部はめねじ部２１を有し、造形部のおねじ部と台座部のめねじ部を回動可能に螺着してある。造形物と台座部とを手で持って相対的に回すと、例えば小鳥の鳴き声に模した音がでるので、リラックス効果が期待できる。造形部は鋳造により造形されているのが好ましく、造形部は銅合金を用いた鋳造であってよい。また、木製の台座部は香り成分を含有したものが好ましい。【選択図】図１
0003197055.tif 000002
【実用新案登録請求の範囲】
【請求項１】
金属製の本体部と木製の台座部とを備え、
前記本体部は造形部とおねじ部を有し、
前記台座部はめねじ部を有し、
前記造形部のおねじ部と前記台座部のめねじ部を回動可能に螺着してあることを特徴とする台座付造形物。
【請求項２】
前記造形部は鋳造により造形されていることを特徴とする請求項１記載の台座付造形物。
【請求項３】
前記造形部は銅合金を用いた鋳造であることを特徴とする請求項２記載の台座付造形物。
【請求項４】
前記木製の台座部は香りが発生する手段を有するものであることを特徴とする請求項１〜３のいずれかに記載の台座付造形物。
【考案の詳細な説明】
【技術分野】
【０００１】
本考案は、インテリア置物やリラックス小物として使用できる台座付造形物に関する。
【背景技術】
【０００２】
鋳造品による造形物や他の用途にも使用できる造形物としては、例えば特許文献１，２のようなものが、これまでに提案されている。
特許文献１は、目が光るフクロウ置物を開示し、特許文献２は容器にもなる置物の造形物を開示する。
しかし、インテリアとしての機能は有していても心身をリラックスさせる機能は有していない。
【先行技術文献】
【特許文献】
【０００３】
【特許文献１】特開２０１２−７６４５８号公報
【特許文献２】特開２００１−１９９１９７号公報
【考案の開示】
【考案が解決しようとする課題】
【０００４】
本考案は、インテリア機能及びリラックス機能を有する小型の台座付造形物の提供を目的とする。
【課題を解決するための手段】
【０００５】
本考案に係る台座付造形物は、金属製の本体部と木製の台座部とを備え、前記本体部は造形部とおねじ部を有し、前記台座部はめねじ部を有し、前記造形部のおねじ部と前記台座部のめねじ部を回動可能に螺着してあることを特徴とする。
このように金属製の本体部と木製の台座部とを相対的に回すことができる螺着構造にしたことにより、造形物と台座部とを手で持って相対的に回すと、例えば小鳥の鳴き声に模した音がでるので、リラックス効果が期待できる。
【０００６】
ここで、造形部は鋳造により造形されているのが好ましく、造形部は銅合金を用いた鋳造であってよい。
また、木製の台座部は香り成分を含有したものが好ましい。
【０００７】
本考案において、造形部とおねじ部とは必ずしも一体である必要はなく、金属製のおねじシャフトを造形部の鋳造時に鋳込み連結してもよい。
また、本体部に香料袋等を付して金属の部分にも香りの発生手段を形成してもよい。
造形部の形状は、青銅，黄銅等にて小鳥の模した像形状にすると意匠性に優れるので、置物としても使用でき、また机やテーブルの上に置いておき、心身のリラックス用に小鳥の鳴き声のように鳴らしてもよい。
また、本体部と台座部とを相対的に回すと、その摩擦熱により台座部の木材に含有している香り成分が揮発し、その香りを楽しむことができる。
【０００８】
木材は、桜やクワ等の木の小枝等、天然木を用いるのが好ましい。
めねじ部は、おねじ部を回すときの摩擦により、小鳥の鳴き声に模した音がでるように、やや緩く寸法設計してある。
【０００９】
木製の台座部は、前記のように香り成分の有する木材を使用してもよいが、木材に香り成分を含浸させてもよい。
また、台座部は香り成分を含有させるための、窪み又は孔等の香料添加手段を有するようにしてもよい。
例えば台座部の上面に窪みを設けたり、ドリル等で上下方向に深い孔を形成してもよい。
このようにすると、添加する香料により音が変化し、目の不自由な人にとっても使いやすい。
また、孔の深さに香料の量が量れるようにしてもよい。
【考案の効果】
【００１０】
本考案にあっては、造形部を銅合金にて製作したので、小鳥やその他の動物、あるいは子供等の各種像形状に製作でき、意匠性に優れる。
また、小鳥に模した音を鳴らす際に、ねじ部の摩擦により香りが揮発しやすくなる。
これにより、インテリア機能とリラックス機能を有する。
【図面の簡単な説明】
【００１１】
【図１】本考案に係る台座付造形物の例を示す。（ａ）は本体部を台座部に装着した状態を示し、（ｂ）は分離した状態を示す。（ｃ）は台座部の上面に窪み部を設けた例、（ｄ）は台座部の上面に孔を設けた例を示す。
【考案を実施するための最良の形態】
【００１２】
本考案において、造形部１１を小鳥の形状に像成型した例にて以下説明するが、造形部の像形状に制限はない。
【００１３】
台座付造形物は、本体部１０と台座部２０とからなる。
本体部１０は、鋳造で製作した造形部１１と、その下におねじ部（金属製）１２を有する。
本実施例では、おねじ部１２と造形部１１との間につば部１３を形成し、ねじ込み過ぎるのを防止している。
台座部２０は、木の小枝等の天然木を切断して製作した例となっているが、木材を用いたものであれば、形状に制限はない。
台座部は、上面側にめねじ部２１を形成してあり、底面は自立できるように平面状になっている。
台座部は、香料成分を含有する液体に浸漬するか、めねじ部の内側に香料剤を塗布し、香り成分を含有させるのがよい。
また、元々、香り成分の含有量の多い天然木を用いてもよい。
さらには、図１（ｃ）に示すように上面に窪み部２２を形成したり、（ｄ）に示すように孔２３を形成し、この部分に香料を添加してもよい。
また、孔２３に香料の入った容器を差してもよく、香料を染み込ませた芯材を差し込んでもよい。
このようにすると、いろいろな香りを楽しむことができ、香料の量の変化により音色も変化する。
なお、本考案では香り発生が必須ではない。
このようにすると、インテリア置物として使用したり、小鳥の声等に模した音を発生させることで心身のリラックス効果がある。
【符号の説明】
【００１４】
１０      本体部
１１      造形部
１２      おねじ部
１３      つば部
２０      台座部
２１      めねじ部
２２      窪み部
２３      孔
【図１】
0003197055.tif 000003
(57)【要約】      （修正有）【課題】変形や損傷を防止し、びん胴体周りの平面度を維持できる容器の補強体構造を提供する。【解決手段】びん容器１において、びんの内壁に複数本の補強体２を設ける。補強体は縦方向に輪状配列または直線に輪状配列あるいは井の字に配列設置する。補強体は、弧形または多辺形の帯状体であることが好ましい。びん胴体の強度を向上できると共に、びん胴体の周りの平面度を維持でき、びん胴体にラベルの貼り付けまたは図案の印字が便利に行える。【選択図】図３
0003197016.tif 000002
【実用新案登録請求の範囲】
【請求項１】
容器の補強体構造であって、
びん容器の内壁面は、輪状に直線配列または縦方向に輪状配列あるいは井の字に配置するに複数本の補強体を設けることを特徴とする、容器の補強体構造。
【請求項２】
前記補強体は、弧形の帯状体または多辺形の帯状体であることを特徴とする請求項１記載の容器の補強体構造。
【考案の詳細な説明】
【技術分野】
【０００１】
本考案は、びん胴体の内壁に複数本の補強体を設けることによって、強度を向上できると共に、びん胴体周りの平面度を維持する容器の補強体構造に関する。
【背景技術】
【０００２】
公知のびん容器に特殊な溶液を入れる場合には、圧迫による変形や損傷を避けるために高い強度のびん胴体が要求される。
【考案の開示】
【考案が解決しようとする課題】
【０００３】
図１、２に示す公知のびん容器構造は、びん１０と、びん胴体の周りに設ける複数本の補強体２０とを含む。補強体２０は、例えば、凹み溝を環設するかまたは帯状体を凸設することで、びん１０本体の強度を向上し、丈夫の目的を達成している。
【０００４】
前述公知のびん容器構造は、びん胴体の強度に関して基本な機能要求は達成できるものの、びん胴体にラベルを貼り付けるかまたは図案を印字する場合は、補強体によって、ラベルの表面が凹凸状を形成して破損するという課題があった。
【課題を解決するための手段】
【０００５】
本考案の主な目的は、容器のびん内壁に複数本の補強体を敷くことによって、びん胴体周りの平整度を維持できる容器の補強体構造を提供する。
【０００６】
本考案の他の目的は、びん内壁の補強体を縦方向または横方向あるいは井の字に配置することによって、びん胴体の強度向上の目的を達成する容器の補強体構造を提供する。
【０００７】
本考案は前述目的を達成するため、具体的に講じる手段及び方法を以下の通り説明する。
【０００８】
びん胴体周りの平整度及びびん胴体の強度を向上させるため、本考案容器の補強体構造はびん容器と、複数本の補強体とを含む。補強体をびん容器の内壁に設けていて、かつ補強体が環状の直線配列または縦方向の環状配列あるいは井の字の配置されている。
【図面の簡単な説明】
【０００９】
【図１】公知技術の構造全体による立体外観図である。
【図２】公知技術の構造全体による前面図である。
【図３】本考案の構造全体による立体外観図である。
【図４】本考案の構造全体による側断面図である。
【図５】本考案の構造全体による上部断面図である。
【図６】本考案のもう一つの実施例による立体外観図である。
【図７】本考案のもう一つの実施例による側断面図である。
【図８】本考案のもう一つの実施例による全体構造の側断面図である。
【図９】本考案のさらに一つの実施例による立体外観図である。
【図１０】本考案のさらに一つの実施例による全体構造の側断面図である。
【図１１】本考案のもう一つの実施例による全体構造の上部断面図である。
【考案を実施するための形態】
【００１０】
図３ないし１１に示すように、本考案の容器の補強構造は、びん容器１と、びん容器１の内壁面に、輪状に直列配列または縦方向に輪状配列あるいは井の字に配置する複数本の補強体２と、を含む。
【００１１】
補強体２は例えば、弧形の帯状体または多辺形の帯状体である。
【００１２】
びん容器１の内壁面に、複数本の凹み溝を形成する補強体２を刻設されている。
【００１３】
補強体２は、縦方向または横方向に交差配列を形成して、びん容器１の内壁面に設けられている。そのため、溶液の充填は、補強体２と内壁面が形成する凹凸面によって妨げられないため、公知技術で実施していたびん胴体の周りに形成するでこぼこ状の補強方式をびんの内部に移設することによって、溶液の充填及び製造とも困難性を増やされずに、びん容器１周りの平整度を維持することができ、びん容器１の周りにラベルの貼り付けあるいは図案の印字が便利になり、ラベルまたは図案が補強体２によって損傷し、美観性が損なわれることを避けることができる。
【符号の説明】
【００１４】
１   びん容器
２   補強体
１０ びん
２０ 補強体
【図１】
0003197016.tif 000003
【図２】
0003197016.tif 000004
【図３】
0003197016.tif 000005
【図４】
0003197016.tif 000006
【図５】
0003197016.tif 000007
【図６】
0003197016.tif 000008
【図７】
0003197016.tif 000009
【図８】
0003197016.tif 000010
【図９】
0003197016.tif 000011
【図１０】
0003197016.tif 000012
【図１１】
0003197016.tif 000013
(57)【要約】      （修正有）【課題】つぼ押し棒の形状を開発し、つぼ押しとマッサージが一本で効率よく出来るつぼ押しマッサージ棒を提供する。【解決手段】つぼ押し棒をエネルギー効率の良い多角柱４にし、一方の端２を尖らせ、もう一方の端１を丸くして、つぼ押しとマッサージを一本で出来るようにすることにより、凝りや疲労の回復に役立つ。【選択図】図１
0003197011.tif 000002
【実用新案登録請求の範囲】
【請求項１】
材質は、銀及び銀合金、金及び金合金を除くものを使用した、つぼ押し棒をエネルギー効率の良い多角柱にし、一方の端を尖らせ、もう一方の端を丸くして、つぼ押しとマッサージが一本で出来るようにした形状を特徴とするつぼ押しマッサージ棒
【考案の詳細な説明】
【技術分野】
【０００１】  本考案は、つぼ押し棒に強弱とマッサージ機能を設けた、凝りとり、健康増進に関するものである。
【背景技術】
【０００２】  つぼ押し棒はつぼ押し用、尖ったものでつぼを押したい時はボールペン等で代用し、図形のもつエネルギー効率を考慮してつくられた凝りとりシールは凝り取り用、マッサージしたい時はマッサージ機や人の手を使用していた。
【考案の概要】
【考案が解決しようとする課題】
【０００３】  凝りや疲れは一辺倒ではなく、症状に合わせた、形状のつぼ押し棒やマッサージ機、凝りとりシール等いくつもの器具を用意するとなると経済的、労働的に負担である。従って、つぼ押しとマッサージとエネルギー効率を一体化することにより、前述の欠点を安全で簡単に解決しようとするものである。
【課題を解決するための手段】
【０００４】  本考案は、つぼ押し棒をエネルギー効率の良い多角柱にし、一方の端を尖らせ、もう一方の端を丸くすることにより問題点を解決している。
【考案の効果】
【０００５】  上述の様に、本考案のつぼ押しマッサージ棒は一つでマイルドなつぼ押し、刺激の強いつぼ押し、マッサージ等が出来るため、多様化している凝りや疲れの軽減に役立つ。
【図面の簡単な説明】
【０００６】
【図１】本考案のつぼ押しマッサージ棒の正面図である。
【図２】本考案のつぼ押しマッサージ棒の横断面図である。
【図３】本考案のつぼ押しマッサージ棒の縦断面図である。
【考案を実施するための形態】
【０００７】鋭角なつぼ押し面は、ピンポイントで刺激する時に使用し、丸いつぼ押し面は、マイルドに刺激したい時や患部を擦って使用する。又、多角柱の側面を擦って使用する事で、広範囲な患部のマッサージに適している。更に、握っているだけでも手のひらに刺激を与えられる。
【実施例】
【０００８】以下、添付図面に従って実施例を説明する。本体は、プラスチックス等の適宜素材でも良いが水晶が望ましく、適度な重量感と共に水晶特有の効果も得られる。２の鋭角なつぼ押し部分を使って、爪の付け根の両端と指の先端部分を押し、１の丸い形状のつぼ押し部分は、手のひら、足の裏等つぼ押しや、頭、肩、背骨等を左回転数回、右回転（左回転と同数）しながらマッサージと体全体の患部を押したり擦ったりするのに適している。更に４の多角柱の側面を使って、手の甲や指の間、足の甲や側面等を中心に擦ることでマッサージする。
【符号の説明】
【０００９】１  つぼ押し（丸い）
２  つぼ押し（鋭角）
３  マッサージ面
４  多角柱
５  縦断面
６  横断面
【図１】
0003197011.tif 000003
【図２】
0003197011.tif 000004
【図３】
0003197011.tif 000005
(57)【要約】      （修正有）【課題】コスト的に採算のとれなかった多種多様の雑魚を確実にミンチにできる魚肉チョッパーを提供する。【解決手段】魚をミンチにする魚肉チョッパーにおいて、ホッパー１０の前端には加圧筒１１が形成され、ホッパー底部から加圧筒に向けて回転軸１２が回転自在に軸装され、回転軸には駆動モータ１６が連結され、回転軸の外周にはスクリュー１３が形成され、加圧筒の先端には押出孔を有するプレート１４と放射状のナイフ１５とが設けられる一方、ホッパー上側には加圧盤２０が設けられ、加圧盤には駆動シリンダ２１が設けられており、ホッパーに投入された魚がスクリューに向けて加圧されるようになっている。【選択図】図１
0003195207.tif 000002
【実用新案登録請求の範囲】
【請求項１】
魚をミンチにするようにした魚肉チョッパーにおいて、
ホッパー（１０）の前端には加圧筒（１１）が形成され、上記ホッパー（１０）底部から加圧筒（１１）に向けて回転軸（１２）が回転自在に軸装され、上記回転軸（１２）には駆動手段（１６）が連結され、上記回転軸（１２）の外周にはスクリュー（１３）が形成され、上記加圧筒（１１）の先端には押出孔を有するプレート（１４）と放射状のナイフ（１５）とが設けられる一方、
上記ホッパー（１０）上側には加圧盤（２０）が設けられ、該加圧盤（２０）には駆動機構（２１）が設けられており、
上記ホッパー（１０）に投入された魚がスクリュー（１３）に向けて加圧されるようになっていることを特徴とする魚肉チョッパー。
【考案の詳細な説明】
【技術分野】
【０００１】
本考案は魚肉チョッパーに関し、特にコスト的に採算のとれなかった魚、例えば食に不向きな魚や小魚その他の雑魚を確実にミンチにできるようにした魚肉チョッパーに関する。
【背景技術】
【０００２】
畜肉や魚肉をミンチにする場合、ミートチョッパーがよく利用されている。このミートチョッパーでは、ホッパーの前端に加圧筒を形成し、ホッパー底部から加圧筒に向けて回転軸を軸装し、回転軸にスクリューを形成する一方、加圧筒の先端に押出孔が形成されたプレートと放射状のナイフとを設け、畜肉などをホッパーの投入口から投入すると、畜肉などがスクリューに巻き込まれて前方に送られ、前端のナイフと押出孔とによって畜肉をミンチ状に送り出すようになっている（特許文献１）。
【０００３】
他方、漁業では目的とする種類以外に、食に不向きな魚や小魚その他の雑魚がとれるが、これを市場まで運搬しようとすると、運賃が高くなってしまい、採算がとれないことから、海に戻すか、廃棄するしかなかった。
【先行技術文献】
【特許文献】
【０００４】
【特許文献１】特開２００５−３０５４０４号公報
【考案の開示】
【考案が解決しようとする課題】
【０００５】
ところで、上述の採算のとれない種類の魚（以下、単に「雑魚」という）をミンチにできれば、飼料や肥料に利用することが期待できる。
しかし、上記雑魚には多種多様な種類の魚が含まれており、従来のミートチョッパーでは雑魚をホッパーに投入しても、雑魚がスクリューにかみ込み難く、ミンチにして飼料や肥料に利用するということは実際には難しかった。
【０００６】
本考案は、かかる問題点に鑑み、雑魚を確実にミンチにできるようにした魚肉チョッパーを提供することを課題とする。
【課題を解決するための手段】
【０００７】
そこで、本考案に係る魚肉チョッパーは、魚をミンチにするようにした魚肉チョッパーにおいて、ホッパーの前端には加圧筒が形成され、上記ホッパー底部から加圧筒に向けて回転軸が回転自在に軸装され、上記回転軸には駆動手段が連結され、上記回転軸の外周にはスクリューが形成され、上記加圧筒の先端には押出孔を有するプレートと放射状のナイフとが設けられる一方、上記ホッパー上側には加圧盤が設けられ、該加圧盤には駆動機構が設けられており、上記ホッパーに投入された魚がスクリューに向けて加圧されるようになっていることを特徴とする魚肉チョッパー。
【０００８】
本考案の特徴の１つはホッパーの上側に加圧盤を設け、投入された魚をスクリューに向けて加圧するようにした点にある。これにより、雑魚を確実にスクリューに押しつけてスクリューにかみ込ませてミンチにすることができ、飼料や肥料に利用できることが期待される。
【図面の簡単な説明】
【０００９】
【図１】本考案に係る魚肉チョッパーの好ましい実施形態を示す概略図である。
【考案を実施するための形態】
【００１０】
以下、本考案を図面に示す具体例に基づいて詳細に説明する。図１は本考案に係る魚肉チョッパーの好ましい実施形態を示す。図において、ホッパー１０は上方が開放されたボックス状をなし、ホッパー１０の前端には加圧筒１１が形成され、ホッパー１０底部から加圧筒１１内には回転軸１２が軸受１７によって回転自在に軸装され、回転軸１２には駆動モータ１６が連結されている。
【００１１】
また、回転軸１２の外周にはらせん状のスクリュー１３がほぼ全長にわたって設けられ、又加圧筒１１の先端開口には押出孔を有するプレート１４が固定されるとともに、回転軸１２の先端には放射状のナイフ１５が設けられている。
【００１２】
さらに、ホッパー１０上側には加圧盤２０が設けられ、加圧盤２０には駆動シリンダ２１のロッド２１Ａが連結され、加圧盤２０はホッパー１０に対して上下駆動されるようになっている。
【００１３】
雑魚をミンチにする場合、図１に示されるように、雑魚をホッパー１０に投入し、加圧盤２０を下方に駆動すると、投入された雑魚がスクリュー１３に向けて加圧されて押しつけられる。
【００１４】
他方、駆動モータ１６を駆動すると、回転軸１２がスクリュー１３とともに回転される。すると、投入され、スクリュー１３に押しつけられた雑魚がスクリュー１３にかみ込まれ、スクリュー１３の回転に伴って前方に送られ、プレート１４とナイフ１５とによってミンチにされて押し出される。
【００１５】
したがって、コスト的に採算のとれなかった雑魚を確実にミンチにすることができ、飼料や肥料に有効に利用することができる。
【符号の説明】
【００１６】
１０      ホッパー
１１      加圧筒
１２      回転軸
１３      スクリュー
１４      プレート
１５      ナイフ
１６      駆動モータ
２０      加圧盤
２１      駆動シリンダ
【図１】
0003195207.tif 000003
(57)【要約】      （修正有）【課題】清潔を保ち、風通しをよくし、冷却し、股間全体の所謂エアレス環境を解消するパンツを提供する。【解決手段】パンツ本体１の内側にあって通気性のある布で人体の睾丸の裏側に嵌まり続いて股間の谷間を通り肛門の後部にわたるＹ形に成形した通気帯３が常に股間に接触するようにＹ形の通気帯３の３つの端部の前方を２本の弾性の紐４，５で後方を１本の弾性の紐６によりパンツ本体１のベルト２の周辺に吊り下げてなる。【選択図】図１
0003195287.tif 000002
【実用新案登録請求の範囲】
【請求項１】
図１のように人体の肌着用パンツの内側に男性睾丸の裏側を覆うほぼＵ形の通気性のある布の下端に続いて股間の肛門部位を通り背後に至る全体としてＹ形の帯状の通気性のある布を弾性のある紐などにより常に股間の肌に接触するようにパンツの周辺に吊り下げて取り付けた通気性の帯布を有してなるパンツ。
【考案の詳細な説明】
【技術分野】
【０００１】  本考案は人体肌着用パンツ（所謂パンツ、ブリーフ、トランクスなどを含み以後これらを総称してパンツという）の構成に関するものである。
【背景技術】
【０００２】  一般に使用されているパンツは、人体の股間を心地よくするための数々の工夫がなされてきた、【０００３】  調べた先行の文献は次の通りである。（順序不同）
文献１：特公昭４２−０１９６３３号のマイクロフイルム（陰部を引き上げる案）
文献２：実願昭５４−０８７７１８号のマイクロフイルム（局部の肌の粘着防止法）
文献３：実願昭５３−０９０３４９号のマイクロフイルム（陰部を収用する布）
文献４：特許第５１３１６１５号  男性用下着
文献５：特許第５１８１３８１号  湿疹防止用サポーター
文献６：実用新案登録  第３１６０５２３号  男性用下着
文献７：実用新案登録  第３１７６８７９号  股間の蒸れを軽減する男性用パンツ
文献８：実用新案登録  第３１２１００８号  男性股間密着防止下着【０００４】  人体の股間部分に発症しやすい皮膚病には、陰部掻痒症と肛門部掻痒症があるが、これらの先行文献では、前者に対しては、相応の効果があると考えられるが、後者の肛門部掻痒症に対応できていない。また、何れも製作、装着に不便である。
【考案の開示】
【０００５】  昨今の事務的業務において、長時間、腰を掛けた状態が続き、その人たちの股間部は風通しが悪く、所謂エアレスの状態になっている。
【０００６】  エアレス状態は、股間の高温多湿を呼び、多くの皮膚病の温床になっている。
【課題を解決するための手段】
【０００７】  これらの皮膚病の予防と治療の基本事項は，股間全域の皮膚の汚れをとり、清潔を保ち、常に通気をよくし、冷却し、乾燥して、環境をよくすることである。
【０００８】  その為には、パンツの内部に、股間の谷間の前後を通り、風通しの良い布（以後これを通気帯という）を設け、常に皮膚に接触しズレないよう取り付けることである。
【考案の効果】
【０００９】  通気帯は、股間の前後にわたり、皮膚の生理により生じる分泌物の汗や脂質などを拭き取り湿気を吸収し、通気をよくし、清潔で健康な皮膚を保つ働きをするので、股間を爽快に保つ効果がある。
【００１０】  さらに、股間が皮膚病に罹った場合には、通気帯により股間全域の環境が改善され、患部に使用する薬の塗布面の保護とか、薬剤の保持など、皮膚病の治療にも利用できる。
【００１１】  また本考案は、通気帯を肛門周辺に圧接させることで、人体活動の基盤である骨盤底筋を刺激し活性化を促すと同時に、日本人男性の伝統である“褌を締める”という精神的な活力感を促す効果も否定できない。
【本考案を実施するための最良の形態】
【００１２】  以下、本考案の実施の形態を図１〜２により説明する。
【００１３】  図１は本発明のパンツ全体の透視図で、人体に装着した形で示している。１はパンツ本体で、２はゴムなどの伸縮性を持つベルトの部分で、パンツ内部の通気帯３を保持する弾性紐４，５，６をボタン９，１０，１１で、パンツのベルト２に取り付ける。
【００１４】  ７，８、は、弾性紐４，５が、パンツ本体と協働するための外側への通過孔である。
【００１５】  図２は、通気帯３を平面に展ばした図で、睾丸の裏側にはまるほぼＵ形の布に続いて、肛門とその周辺に接触する太めの帯状巾からなり、全体ではＹ形となる。
【００１６】  １２〜１５は通気帯の股間への接触圧を調整するボタン孔である。
【図面の簡単な説明】
【００１７】
【図１】  本考案の実施形態の透視図である。
【図２】  図１の通気帯３の伸展した図である。
【符号の説明】
【００１８】  １          パンツ本体
２          パンツの伸縮するベルト
３          通気帯
４〜６      通気帯を吊り下げる紐
７〜８      紐のパンツ通過孔
９〜１１    ボタン
１２〜１５  ボタン孔
【図１】
0003195287.tif 000003
【図２】
0003195287.tif 000004
【手続補正書】
【提出日】平成26年10月16日(2014.10.16)
【手続補正１】
【補正対象書類名】実用新案登録請求の範囲
【補正対象項目名】全文
【補正方法】変更
【補正の内容】
【実用新案登録請求の範囲】
【請求項１】
パンツの内側にあって通気性のある布で人体の睾丸の裏側に嵌まり続いて股間の谷間を通り肛門の後部にわたるＹ形に成形した布が常に股間に接触するように前記Ｙ形の布の３つの端部の前方を２本の弾性の紐で後方を１本の弾性の紐により前記パンツの本体のベルトの周辺に吊り下げてなるパンツ。
(57)【要約】      （修正有）【課題】ホールインワンをより簡単に、低価格で確認するためのホールインワン監視システムを提供する。【解決手段】打席を撮影する打席監視用カメラ、カップの見えるグリーンを撮影するグリーン監視用カメラ、打席監視用カメラが撮影した打席監視用カメラ画像及びグリーン監視用カメラが撮影したグリーン監視用カメラ画像が記録される録画用サーバ、グリーン監視用カメラの動体検知手段がゴルフボールを感知した感知日時を録画用サーバに送信する送信手段を備えたホールインワン監視システムにおいて、録画用サーバが感知日時を受信すると、録画用サーバが打席監視用カメラ画像から、感知日時の１０秒前と５秒前の画像、グリーン監視用カメラ画像から、感知日時、感知日時の５秒後の写真を一覧表示できるようウエブデータを作成する。【選択図】図１
0003195284.tif 000002
【実用新案登録請求の範囲】
【請求項１】
ゴルフ場に設置したカメラ画像を元にホールインワンを判定するシステム。
【考案の詳細な説明】
【技術分野】
【０００１】
本発明は、ゴルフ場におけるホールインワンを確認するための方式に関するものです。
【背景技術】
【０００２】
防犯カメラ、ネットワークカメラが普及し、低価格での購入可能になりました。
100万画素を超える商品も登場し高精細な画像を確認することができます。
映像の指定した場所に動きがある場合に通知する、動体検知という機能も多くのカメラで標準仕様となっております。
【０００３】
本発明はホールインワンをより簡単に、低価格で確認するためのものです。
【特許文献１】特開２００７−１０２５５６号公報
【０００４】
ゴルフ場のコース上の打席とカップの見えるグリーンを撮影するカメラを各１台ずつ設置して、打席のプレイヤーの映像と、カップのあるグリーン上の映像の両方を録画用サーバーに、1秒1枚の写真として記録しておきます。カメラごとに日時をファイル名(例2014年8月15日10時00分10秒の場合、20140815100010.jpg)として記録しておくことで後から簡単に検索することができます。。
【０００５】
グリーン監視用カメラの動体検知が、ゴルフボールを感知した時、感知日時がサーバーに送られます。
サーバーはデータ転送時間を考量して感知発生から10秒後に、打席監視用カメラ画像から、感知日時の10秒前と5秒前の画像、グリーン監視用カメラ画像から、感知日時、感知日時の5秒後の写真を一覧表示できるようウエブデータ(html)を作成します。
【図面の簡単な説明】
【０００６】
【図１】システム概要通常時
【図２】システム概要動体検知時
【図３】動体検知センサー範囲(例)
【図４】一覧表示通常時
【図５】一覧表示ホールインワン時
【図１】
0003195284.tif 000003
【図２】
0003195284.tif 000004
【図３】
0003195284.tif 000005
【図４】
0003195284.tif 000006
【図５】
0003195284.tif 000007
【手続補正書】
【提出日】平成26年11月5日(2014.11.5)
【手続補正１】
【補正対象書類名】実用新案登録請求の範囲
【補正対象項目名】全文
【補正方法】変更
【補正の内容】
【実用新案登録請求の範囲】
【請求項１】
打席を撮影する打席監視用カメラ、カップの見えるグリーンを撮影するグリー
ン監視用カメラ、前記打席監視用カメラが撮影した打席監視用カメラ画像及び前
記グリーン監視用カメラが撮影したグリーン監視用カメラ画像が記録される録画
用サーバ、前記グリーン監視用カメラの動体検知手段がゴルフボールを感知した
感知日時を前記録画用サーバに送信する送信手段を備えたホールインワン監視シ
ステムにおいて、前記録画用サーバが感知日時を受信すると、前記録画用サーバ
が前記打席監視用カメラ画像から、感知日時の10秒前と5秒前の画像、前記グリ
ーン監視用カメラ画像から、感知日時、感知日時の5秒後の写真を一覧表示でき
るようウエブデータを作成することを特徴とするホールインワン監視システム。
(57)【要約】      （修正有）【課題】資材や農作物などを運搬する際、手軽かつ多目的に使用でき、荷物を積み下ろしする際にもロープやゴム等をかけたり外したりする煩わしさがなく、必要に応じて荷台を延長できる一輪車を提供する。【解決手段】一輪車のフレーム１に  丁番２を介し、衝立３をとりつける。衝立にストッパー４を設け、これをかけたり外したりすることにより、衝立が荷台面に収まった位置、直立した位置、または前方に倒れた位置で止まるようにする。【選択図】図３
0003195285.tif 000002
【実用新案登録請求の範囲】
【請求項１】
フレーム（１）に丁番（２）を介し衝立（３）をとりつける。ストッパー（４）を設ける、以上の構成による一輪車。
【考案の詳細な説明】
【技術分野】
【０００１】人力によって荷物を運搬するときに使用される手押し式一輪車。
【背景技術】
【０００２】資材・農作物などの手軽な運搬器具として手押し式の一輪車がよく使用されている。
【考案の概要】
【考案が解決しようとする課題】
【０００３】一輪車で荷物を運搬する際、走行時に荷崩れしないようにロープ・ゴム等をかける必要があった。また  苗箱や農作物の被服資材など軽くてもかさばる荷物を運搬する際にも荷台の制限があり不便であった。
【課題を解決するための手段】
【０００４】以上の問題を解決するために、一輪車のフレーム（１）に  丁番（２）を介し  衝立（３）を取り付ける。ストッパー（４）を設ける。
以上の構成よりなる一輪車である。
【考案の効果】
【０００５】本考案の衝立（３）を持ち上げると  ストッパー（４）が効きほぼ垂直の位置で止まる。
荷物を積み、一輪車のハンドルを持ち上げると衝立（３）に荷物の荷重がかかるため、走行中の荷崩れを抑えることができる。
さらにストッパー（４）をはずし、衝立（３）を前方に倒すことにより荷台を延長することができ、苗箱や被服資材など軽量でかさばる荷物を積むことができる。また衝立（３）を折りたたむことで本来のコンテナカーとしての機能を有する。
【図面の簡単な説明】
【０００６】
【図１】  本考案の平面図である。
【図２】  本考案の正面からの断面図である。
【図３】  作動図  本考案のストッパーを効かせ衝立を立てた状態の側面図である。
【図４】  作動図  本考案のストッパーを解除し衝立を前方に倒して荷台を延長した状態の側面図である。
【考案を実施するための形態】
【０００７】（イ）一輪車のフレーム（１）に  丁番（２）を介し  衝立（３）を荷台面に収まるように取り付ける。
（ロ）衝立（３）を立てたとき直立するようにストッパー（４）を取り付ける。
本考案は以上の構成よりなる。
本考案を使用する場合は、
（イ）衝立（３）を持ち上げ垂直位置で止める。荷物を積み、一輪車のハンドルを持ち上げると荷物の荷重が衝立（３）及びストッパー（４）にかかるためそのまま走行しても荷崩れしない。  特に圃場内での運搬作業など比較的近い距離を頻繁に往復するときなどロープやゴムを  いちいちかけたり外したりする必要がないので大変便利である。
（ロ）ストッパー（４）を解除し、衝立（３）を  そのまま前に倒すことにより荷台を延長することができる。苗箱や被服資材など軽くてかさばる荷物の運搬時に便利である。
（ハ）衝立（３）を折りたたむと一輪車の荷台面に収まるので重量物の運搬や本来のコンテナカーとして使用できる。
【実施例】
【０００８】（イ）衝立（３）を垂直に立てた状態で荷物を積み、一輪車のハンドルを持ち上げ  そのまま走行しても荷崩れしないのでロープやゴムなどをかけたり外したりする煩わしさがない。そのため収獲物の圃場内での運搬など比較的近い距離を頻繁に往復するときや少しずつ移動しながら荷物の積み下ろしをするときなどに大変便利である。
（ロ）ストッパー（４）を解除し、衝立（３）を前に倒すことで一輪車の荷台を延長することができる。小回りが利く一輪車の利点を生かし、野菜等の植え付け時に積み重ねることのできない苗箱の圃場内への搬入、また軽量でかさばる被服資財等の運搬等に使用できる。
（ハ）衝立（３）を荷台内に折りたたむことで重量物の運搬や本来のコンテナカーとして使用することができる。
【産業上の利用可能性】
【０００９】応用例として
（イ）圃場で箱詰めをする野菜（レタス・キャベツ等）を収獲する際  本考案の衝立（３）を持ち上げ、直立した位置で止める。組立前の段ボール箱を積み、収獲する畝の脇を少しずつ移動しながら箱を組立てながら並べていく。ロープやゴムをかけなくても荷崩れしないので箱の組立てと移動の連続作業がスムーズにできる。収獲物を箱詰めしたら  次の空箱が脇にあるのでいちいち空箱を取りに行く必要がない。小回りが利き、狭小な畝間にも入っていけるという一輪車の利点とも相まって非常に効率的な作業ができる。
（ロ）野菜の苗箱は積み重ねると苗を痛めるので重ねることができない。本考案のストッパー（４）を解除して衝立（３）を前に倒し荷台を延長することでより多くの苗箱を積むことができる。野菜の植え付け時には、一輪車の特性を活かし狭小な畝間でも苗を搬入することができる。
また被服資材など軽量でかさばる荷物の運搬にも適する。
（ハ）衝立（３）を折りたたむと重量物の運搬や本来のコンテナカーとして利用できる。
【符号の説明】
【００１０】（１）        一輪車のフレーム
（２）        丁番
（３）        衝立
（４）        ストッパー
（５）        タイヤ
【図１】
0003195285.tif 000003
【図２】
0003195285.tif 000004
【図３】
0003195285.tif 000005
【図４】
0003195285.tif 000006
【手続補正書】
【提出日】平成26年10月15日(2014.10.15)
【手続補正１】
【補正対象書類名】実用新案登録請求の範囲
【補正対象項目名】全文
【補正方法】変更
【補正の内容】
【実用新案登録請求の範囲】
【請求項１】
フレーム（１）に丁番（２）を介して取り付けた衝立（３）の上にストッパー（４）を設ける、以上の構成による一輪車。
(57)【要約】      （修正有）【課題】車椅子に安心して楽に座れるように高さを調節できる車椅子専用昇降台を提供する。【解決手段】昇降台はキャスター付底板Ｃと足ふみレバーＤと上下が可能な油圧式シリンダーＢと車椅子の座の部分を支える補助板Ａとで形成されている。車椅子の座の部と補助板がはまるように入れ油圧式シリンダーと足ふみレバーの操作で車椅子を上下させることができる。【選択図】図１
0003195265.tif 000002
【実用新案登録請求の範囲】
【請求項１】
昇降台本体と足ふみレバー付油圧式シリンダーから構成され、車椅子の高さを上下自由に変えられることを特許とする車椅子専用昇降台
【考案の詳細な説明】
【技術分野】
【０００１】本考案は車椅子から楽に座れるように高さを調節できる昇降台である。
【背景技術】
【０００２】今までは後ろ向きで車椅子に座るとき距離感がつかめず、落ちるような不安な気持ちがあった。
【考案の概要】
【考案が解決しようとする課題】
【０００３】車椅子に座る時この昇降台を使用することにより、不安なく安心して座ることができる。
【課題を解決するための手段】
【０００４】本考案は昇降台で車椅子を上げて高さを高くすることにより、太ももの後ろ側に車椅子の座の部分があたり安心して座れるように解決している。
【考案の効果】
【０００５】本考案により車椅子の高さがかわり不安なく座ることができ精神的にも肉体的にも満足していただける。
【図面の簡単な説明】
【０００６】
【図１】横から見た図
【考案を実施するための形態】
【０００７】昇降台は横から見るとキャスター付底板と足ふみレバーと上下が可能な油圧式シリンダーと車椅子の座の部分を支える補助板とで形成されている。
【実施例】
【０００８】以下添付図面にしたがって実施例を説明する
本体は耐久性に優れた鉄製による昇降台で▲Ａ▼の補助板の上に車椅子の座を乗せて▲Ｄ▼の足ふみレバーと▲Ｂ▼の油圧式シリンダーで持ち上げ、その重さとバランスに耐えられる▲Ｃ▼のキャスター付底板である。
【符号の説明】
【０００９】▲Ａ▼補助板  ▲Ｂ▼油圧式シリンダー  ▲Ｃ▼キャスター式の底板  ▲Ｄ▼足ふみレバー
【図１】
0003195265.tif 000003
【手続補正書】
【提出日】平成26年7月29日(2014.7.29)
【手続補正１】
【補正対象書類名】実用新案登録請求の範囲
【補正対象項目名】全文
【補正方法】変更
【補正の内容】
【実用新案登録請求の範囲】
【請求項１】
油圧式シリンダーの端部に足ふみレバーを設けた車椅子専用昇降台であって前記圧式シリンダーの上に設置された補助板の高さを上下自由に変えられることを特徴とする車椅子専用昇降台。
【手続補正書】
【提出日】平成26年10月16日(2014.10.16)
【手続補正１】
【補正対象書類名】実用新案登録請求の範囲
【補正対象項目名】全文
【補正方法】変更
【補正の内容】
【実用新案登録請求の範囲】
【請求項１】
油圧式シリンダーの端部に足ふみレバーを設けた車椅子専用昇降台であって前記油圧式シリンダーの上に設置された補助板の高さを上下自由に変えられることを特徴とする車椅子専用昇降台。
(57)【要約】      （修正有）【課題】主材料ビンと補助材料ビンや補助材料ビンと補助材料ビンを重ね接続できるふたつきビンの製品に対して接続部の固定安定や脱着が簡単であるビンを提供する。【解決手段】ガラスビン１，２，３の底近くに接続凹部４ｂの溝を有し、ふたの裏側に接続凹部４ｂの溝にあう接続凸部４ａを有する。接続凸部４ａに接続凹部４ｂをはめて固定することでふた付きガラスビンを多重に重ねることが可能である。【選択図】図１
0003195269.tif 000002
【実用新案登録請求の範囲】
【請求項１】
ふた付きガラスビンを縦に多重に重ねることができる図１の４接続部ふたの裏側にある凸部が４ｂ接続凹部の溝のあるガラスビンの凸部と凹部が重ねることで合体し固定される脱着が簡単な多重可ビン、
【考案の詳細な説明】
【技術の分野】
【０００１】  本考案はふた付きビンを重ね固定するための雑貨にかんする
【背景技術】
【０００２】  ふた付きガラス瓶の多重重ね、固定できるふた付きビンはなかった
【考案の開示】
【考案が解決しようとする課題】
【０００３】  ふた付きガラス瓶を重ねるため、接続部の固定安定と脱着が簡単にできることが課題  、
【課題を解決するための手段】
【０００４】  図２接続断面図のガラス瓶１や２の、底近くに４ｂのように凹の溝を一周させ接続するビン２のふた４の裏側に４ｂの溝に合う４ａの凸をもうけ固定安定と簡単脱着を解決した
【考案の効果】
【０００５】  本考案により主役材料ビンに脇役材料ビン複数を分散しないで接続固定一体化し便利にする効果がある
【考案を実施するための最良の形態】
【実施例】
【０００６】  添付図面に従って実施例を説明する、（図１）外観図の１にコーヒを４の重ね接続できるふたつきのビン２に粉ミルクビン３に砂糖を入れたビンを接続一体化固定することで場所をとらない便利な効果がある
【図面の簡単な説明】
【０００７】
【図１】  外観図
【図２】  接続断面図
【符号の説明】  １  主役材料ビン
２  脇役材料ビン２
３  脇役材料ビン３
４  接続部つき脇役材料ビンふた
４ａ接続凸部
４ｂ接続凹部
【図１】
0003195269.tif 000003
【図２】
0003195269.tif 000004
【手続補正書】
【提出日】平成26年10月14日(2014.10.14)
【手続補正１】
【補正対象書類名】実用新案登録請求の範囲
【補正対象項目名】全文
【補正方法】変更
【補正の内容】
【実用新案登録請求の範囲】
【請求項１】
ガラスビンの底近くに接続凹部（４ｂ）の溝を有すること、ふたの裏側に接続凹部（４ｂ）の溝にあう接続凸部（４ａ）を有すること、接続凸部（４ａ）に接続凹部（４ｂ）をはめて固定することでふた付きガラスビンを多重に重ねることが可能であるビン、
(57)【要約】      （修正有）【課題】テンプルの付け替えが容易にできるようにした眼鏡を提供する。【解決手段】フロントとテンプルをつなぐ蝶番部分において、素材をプラスチック製にし、フロント側の凹部４に丸い穴３をあけ、かつフロントから見て４５°に切れ目２を入れる。さらにテンプル側の凸部３を楕円やひし形の形状にし、凹部４の切れ目２に入る形状にする。これによりテンプルの角度を切れ目２に合わせて、テンプルを引っ張れば簡単にテンプルははずれる。つまりワンタッチでテンプルが外れ、また取り付ける時は、逆の動作をすればよいので、テンプルの付け替えがきわめて容易になる。また眼鏡を開いたりたたんだりする際も問題なく使用できる。【選択図】図４
0003195293.tif 000002
【実用新案登録請求の範囲】
【請求項１】
眼鏡のフロント部分とテンプル部分の蝶番の形状を工夫することで、テンプルの付け替えが容易にできるようにした眼鏡。
【考案の詳細な説明】
【技術分野】
【０００１】本考案は眼鏡のフロント部分とテンプル部分の蝶番の形状を工夫することで、テンプルの付け替えが容易にできるようにした眼鏡に関するものである。
【考案の概要】
【考案が解決しようとする課題】
【０００２】  眼鏡のテンプルを違う色のテンプルに付け替えることでファッションを楽しみたいと考えている人は多い。しかし、ネジや精密ドライバーを使用せねばならず、度付矯正眼鏡や老眼鏡などの場合、眼鏡をかけながら作業はできない為、視力が悪い場合、付け替え作業は困難である。
【考案が解決するための手段】
【０００３】蝶番部分つまりフロントとテンプルをつなぐ部分において、素材をプラスチック製にし、凹部に丸い穴をあけ、かつフロントから見て４５°に切れ目を入れる。凸部を楕円やひし形の形状にし、凹部の切れ目に入る形状にする。凸部は切れ目にぎりぎりに入るサイズにしておけば、眼鏡を通常使用す場合、テンプルとフロントが外れることはない。
これによりテンプルの角度を切れ目に合わせて、テンプルを引っ張れば簡単にテンプルははずれる。つまりワンタッチでテンプルが外れ、また取り付ける時は、逆の動作をすればよいので、テンプルの付け替えがきわめて容易になる。また眼鏡を開いたりたたんだりする際も問題なく使用できる。
【考案の効果】
【０００４】テンプルをワンタッチで付け替えが可能な眼鏡は、従来のように精密ドライバーなど使用しない為、短時間でテンプルの付け替えが可能になった。またネジを使わない為蝶番がさびることがなく、風呂やサウナ等でも眼鏡が使用できる。
【図面の簡単な説明】
【０００５】
【図１】テンプル側の蝶番の平面図である
【図２】フロント側の蝶番の平面図である
【図３】凹部と凸部をはめた図面である
【図４】凹部と凸部をはめた立体図である
【図５】凹部と凸部をはめる際の立体図である
【考案を実施するための形態】
【０００６】以下、本考案の実施の形態を図示に基づいて説明する。［図１］はテンプル側の蝶番の平面図である。［図２］はフロント側の蝶番の平面図である。［図３］は凹部と凸部をはめた図面である。［図４］は凹部と凸部をはめた立体図である［図５］は凹部と凸部をはめる際の立体図である。
【０００７】本考案にかかるテンプルをワンタッチで取り換えることが可能な眼鏡は度付矯正眼鏡、老眼鏡、サングラスなどでよりファッションを楽しめる。
【符号の説明】１凸部
２切れ目
３丸い穴
４凹部
【図１】
0003195293.tif 000003
【図２】
0003195293.tif 000004
【図３】
0003195293.tif 000005
【図４】
0003195293.tif 000006
【図５】
0003195293.tif 000007
【手続補正書】
【提出日】平成26年10月15日(2014.10.15)
【手続補正１】
【補正対象書類名】実用新案登録請求の範囲
【補正対象項目名】全文
【補正方法】変更
【補正の内容】
【実用新案登録請求の範囲】
【請求項１】
フロントとテンプルをつなぐ蝶番部分において、素材をプラスチック製にし、フロント側の凹部に丸い穴をあけ、かつフロントから見て４５°に切れ目を入れ、さらにテンプル側の凸部を楕円やひし形の形状にし、凹部の切れ目に入る形状にすることで、テンプルの取り外しが容易にできるようにした眼鏡。